(57)【要約】【課題】経本製本の特徴を生かした趣向性に富んだ経本製本カレンダーを実現する。【解決手段】経本製本カレンダー１には、月カレンダー１０と年表２０とが表示されているので、月カレンダー１０によって暦の情報を得ることに加え、暦以外の情報として年表２０によって日本史の情報を得ることができ、趣向性に富んだ経本製本カレンダーとして使用することができる。また、月カレンダー１０の日付毎に併記されている「六曜」「十二直」「二十八宿」に基づき占いを行い易くなっているので、月カレンダー１０によって暦の情報を得ることに加え、日々の吉凶を占うことができる趣向性に富んだ経本製本カレンダーとして使用することができる。【選択図】図１
2017042954.tif 000002
【特許請求の範囲】
【請求項１】
少なくとも１年分の月カレンダーと、所定の年表とを参照可能に上下に配置して表示した用紙を経本折りしたことを特徴とする経本製本カレンダー。
【請求項２】
前記月カレンダーには、前記年表に関連する事柄が記載されていることを特徴とする請求項１に記載の経本製本カレンダー。
【請求項３】
前記月カレンダーには日付毎に、六曜、十二直、二十八宿が併記されていることを特徴とする請求項１又は２に記載の経本製本カレンダー。
【請求項４】
前記月カレンダーと前記年表は、前記用紙の両面に表示されていることを特徴とする請求項１〜３の何れか一項に記載の経本製本カレンダー。
【請求項５】
前記用紙の表側の右端部に厚紙により構成された表表紙が貼設され、前記用紙の裏側の右端部に厚紙により構成された裏表紙が貼設されており、
前記表表紙及び前記裏表紙の幅で経本折りされた状態となっていることを特徴とする請求項１〜４の何れか一項に記載の経本製本カレンダー。
【発明の詳細な説明】
【技術分野】
【０００１】
本発明は、経本製本カレンダーに関する。
【背景技術】
【０００２】
従来、１枚の用紙の片面に１２カ月分の月カレンダーを表示したものに、縦に折り目を入れて２〜４つ折りにしてなる、いわゆる経本製本カレンダーが知られている（例えば、特許文献１参照。）。
この経本製本カレンダーを２〜４つ折りにして使用可能にすることで、経本製本カレンダーの掲示スペースを小さくすることができる。また、掲示スペースが十分な箇所では折らずに使用することで、１年分の経本製本カレンダーを一覧可能に掲示することもできる。
【先行技術文献】
【特許文献】
【０００３】
【特許文献１】実用新案登録第３１１６６３６号公報
【発明の概要】
【発明が解決しようとする課題】
【０００４】
しかしながら、上記特許文献１の経本製本カレンダーの場合、その経本製本カレンダーに予定を記入したり、経本製本カレンダーから暦の情報を得たりすることはできるものの、暦の情報以外は得られない。
経本製本の技術は、前述した通り、経本製本カレンダーのサイズを可変できるという特徴があるので、この特徴を生かして趣向性に富んだ経本製本カレンダーとすることができれば、更なる需要を喚起することができる。
【０００５】
本発明の目的は、経本製本の特徴を生かした趣向性に富んだ経本製本カレンダーを提供することである。
【課題を解決するための手段】
【０００６】
以上の課題を解決するため、この発明は、経本製本カレンダーであって、
少なくとも１年分の月カレンダーと、所定の年表とを参照可能に上下に配置して表示した用紙を経本折りしたことを特徴とする。
【０００７】
かかる構成の経本製本カレンダーであれば、経本製本の特徴を生かすことができる年表を月カレンダーと並べて上下に配置することで、趣向性に富んだ経本製本カレンダーを得ることができる。
より具体的には、年表を通常の冊子に表すと俯瞰して見ることができないので見難いが、経本製本の技術を適用することで容易に年表を展開して見ることができる。
しかも、カレンダーと年表は、ともに「時」に関するという点において共通するため、互いに関連付けることも可能である。
【発明の効果】
【０００８】
本発明によれば、経本製本の技術を生かした趣向性に富んだ経本製本カレンダーを得ることができる。
【図面の簡単な説明】
【０００９】
【図１】本実施形態の経本製本カレンダーの表面側を示す概略図である。
【図２】本実施形態の経本製本カレンダーの裏面側を示す概略図である。
【図３】本実施形態の経本製本カレンダーの月カレンダーの一例を示す拡大図である。
【発明を実施するための形態】
【００１０】
以下、図面を参照して、本発明に係る経本製本カレンダーの実施形態について詳細に説明する。但し、以下に述べる実施形態には、本発明を実施するために技術的に好ましい種々の限定が付されているが、本発明の範囲を以下の実施形態及び図示例に限定するものではない。
【００１１】
図１は、本実施形態の経本製本カレンダー１の表面側を示す概略図であり、図２はその経本製本カレンダー１の裏面側を示す概略図である。
経本製本カレンダー１は、図１、図２に示すように、横長の長方形用紙を経本折りしてなる１年分のカレンダーであり、その用紙の上側の領域に月カレンダー１０が配置され、下側の領域に所定の年表２０が配置されており、月カレンダー１０と年表２０とをそれぞれ参照可能に表示している。
【００１２】
本実施形態の経本製本カレンダー１には、例えば１月始まり１２月終わりの１年分の月カレンダー１０が表示されており、用紙の表側に１月から６月の６か月分の月カレンダー１０が表示され、用紙の裏側に７月から１２月の６か月分の月カレンダー１０が表示されている。
また、この経本製本カレンダー１には、例えば日本史に関する年表２０が表示されており、用紙の表側に平安時代から室町時代の年表２０が表示され、用紙の裏側に安土桃山時代から明治時代の年表２０が表示されている。
また、経本製本カレンダー１の用紙の表側には、例えば歳徳神に関する情報として恵方の方位３０が記載されており、その用紙の裏側には、例えば「六曜」「十二直」「二十八宿」についての占い情報４０が記載されている。
【００１３】
この経本製本カレンダー１は、例えば、右端のページから左端のページへ、月カレンダー１０の月度や年表２０の年号が進むように表示されている。
そして、経本製本カレンダー１の用紙の表側の右端には厚紙により構成された表表紙１ａが貼設されて装丁されており、経本製本カレンダー１の用紙の裏側の右端には厚紙により構成された裏表紙１ｂが貼設されて装丁されている。
【００１４】
経本製本カレンダー１の表表紙１ａ・裏表紙１ｂのサイズは、縦幅が１５ｃｍから２５ｃｍ程度で、横幅が５ｃｍから１０ｃｍ程度であることが好ましい。
表表紙１ａと裏表紙１ｂがこのような寸法であれば、その横幅で経本製本カレンダー１を蛇腹状に折り畳み、経本折りするとコンパクトなサイズになり、カバンやポケットなどに入れやすくなるので、携帯して使用することができる。
【００１５】
月カレンダー１０は、図３に示すように、月表示欄１１、日付表示欄１２、曜日表示欄１３、六曜表示欄１４、十二直表示欄１５、二十八宿表示欄１６、予定記入欄１７、月齢表示欄１８、太陰暦表示欄１９などを有している。
【００１６】
月表示欄１１は、月カレンダー１０の月度を表示している。
本実施形態の経本製本カレンダー１には日本史に関する年表２０を表示しているので、古典的イメージに合わせて、一月から十二月の表記に対応させて陰暦（睦月、如月、弥生、卯月、皐月、水無月、文月、葉月、長月、神無月、霜月、師走）でも表記している。
【００１７】
日付表示欄１２は、１〜３１までの日付を表示している。なお月毎に末日が異なることは勿論である。
曜日表示欄１３は、その日付に対応する曜日（日、月、火、水、木、金、土）を表示している。
【００１８】
六曜表示欄１４は、日付毎に割り当てられた「六曜」を表示している。
十二直表示欄１５は、日付毎に割り当てられた「十二直」を表示している。
二十八宿表示欄１６は、日付毎に割り当てられた「二十八宿」を表示している。
「六曜」「十二直」「二十八宿」は、日々の吉凶を占うのに活用されるものである。
このように、経本製本カレンダー１の月カレンダー１０には日付毎に「六曜」「十二直」「二十八宿」が併記されているので、「六曜」「十二直」「二十八宿」に基づく日々の吉凶を占いやすくなっている。
なお、「六曜」「十二直」「二十八宿」については後述する。
【００１９】
予定記入欄１７は、この経本製本カレンダー１のユーザーが各自の予定を記入するためのスペースになっている。
また、この予定記入欄１７には、祝日名や二十四節気などが表示されていてもよい。
【００２０】
月齢表示欄１８には、月の満ち欠けの変化を表した図が表示されている。
太陰暦表示欄１９は、太陰暦での日付を表示している。
【００２１】
年表２０には、年号と、その年の出来事とを対応付けた史実が記されている。
例えば、［平安時代］では「七九四年（延暦一三年）：平安京に遷都」、［鎌倉時代］では「一一八五年（文治一年）：壇の浦の戦い（平氏滅亡）。」、［室町時代］では「一三三六年（延元一年）：足利尊氏、建武式目発表」、［安土桃山時代］では「一五六八年（永禄一一年）：信長、足利義昭を奉じて入京」、［江戸時代］では「一六〇三年（慶長八年）：家康、征夷大将軍となり幕府を開く」、［明治時代］では「一八六八年（慶応四年・明治元年）：戊辰戦争始まる」などの史実が記されている。
【００２２】
また、年表２０には、歴史上に関係している写真など挿絵２１が表示されている。
この挿絵２１は人物に限らず、寺社仏閣等の建物や歴史的工芸品などのイラストや写真であってもよく、また、その建物や物品等を擬人化（キャラクター化）したイラストであってもよい。
【００２３】
恵方の方位３０は、「北、東、南、西」の方位と「子、癸、丑、艮、寅、甲、卯、乙、辰、巽、巳、丙、午、丁、未、坤、申、庚、酉、辛、戌、乾、亥、壬」の方位とがともに記されている方位図であって、その年の歳徳神のいる方角を示している。
【００２４】
占い情報４０には、「六曜」「十二直」「二十八宿」についての解説や説明が記されている。
【００２５】
「六曜」は「大安・赤口・先勝・友引・先負・仏滅」の６種からなり、この６種のうちの１つが日付毎に割り当てられ、日々の吉凶を占うのに活用される。
「六曜」の占い情報４０には、「大安：何事も失敗知らずの大吉日」、「仏滅：何事もうまくいかない日」などの説明が記されている。
【００２６】
「十二直」は北斗七星の一回転を十二等分して吉凶を占ったものであり、「建・除・満・平・定・執・破・危・成・収・開・閉」の１２種からなる。この１２種のうちの１つが日付毎に割り当てられ、日々の吉凶を占うのに活用される。
「十二直」の占い情報４０には、「建：すべて上手くいく大吉日」、「閉：運が閉じふさがってしまう日」などの説明が記されている。
【００２７】
「二十八宿」は二十八個の古代中国星座を起源にして吉凶を占ったものであり、「角・亢・氏・房・心・尾・箕・斗・牛・女・虚・危・室・壁・奎・婁・胃・昴・畢・觜・参・井・鬼・柳・星・張・翼・軫」の２８種からなる。この２８種のうちの１つが日付毎に割り当てられ、日々の吉凶を占うのに活用される。
「二十八宿」の占い情報４０には、「角：裁縫、結婚、旅行が吉」、「軫：土地の購入、家を建てるのが吉」などの説明が記されている。
【００２８】
このように、本実施形態の経本製本カレンダー１では、「時」に関するという点で共通する月カレンダー１０と年表２０とが上下に配置されているので、それぞれの項目を対比させて参照しやすくなっており、例えば日本史上の出来事の月日と、経本製本カレンダー１での月日を対応させて参照することができる。
特に、この経本製本カレンダー１の月カレンダー１０には、年表２０に関連する事柄が記載されているので、歴史上の出来事を経本製本カレンダー１の月日に関連付けて参照するといった趣向を有するようになる。
具体的に、本実施形態の経本製本カレンダー１において、１月の月カレンダー１０の月表示欄１１には「一八六八年  鳥羽伏見の戦い」との歴史上１月の出来事が記載されており、７月の月カレンダー１０の月表示欄１１には「一二八一年  弘安の役」との歴史上７月の出来事が記載されている。
【００２９】
また、本実施形態の経本製本カレンダー１の月カレンダー１０には、日付毎に「六曜」「十二直」「二十八宿」が併記されているので、「六曜」「十二直」「二十八宿」に基づく日々の吉凶を占いやすくなっている。
【００３０】
以上のように、本実施形態の経本製本カレンダー１には、月カレンダー１０と年表２０とが表示されているので、月カレンダー１０によって暦の情報を得ることに加え、暦以外の情報として年表２０によって日本史の情報を得ることができ、趣向性に富んだ経本製本カレンダーとして使用することができる。
特に、通常の冊子に表すと俯瞰して見ることができない年表２０を経本製本カレンダー１に表示することで、年表２０を展開して見ることが可能になるので、経本製本の技術を生かしたカレンダーとして活用することができる。
また、月カレンダー１０の日付毎に併記されている「六曜」「十二直」「二十八宿」に基づき占いを行い易くなっているので、月カレンダー１０によって暦の情報を得ることに加え、日々の吉凶を占うことができる趣向性に富んだ経本製本カレンダーとして使用することができる。
【００３１】
なお、以上の実施の形態においては、経本製本カレンダー１に１月始まり１２月終わりの１年分の月カレンダー１０を表示したが、本発明はこれに限定されるものではなく、４月始まり３月終わりの１年分の月カレンダー１０を表示するようにしてもよい。また複数年分の月カレンダー１０を表示するようにしてもよい。
【００３２】
また、以上の実施の形態においては、月カレンダー１０と年表２０を用紙の両面に表示したが、本発明はこれに限定されるものではなく、月カレンダー１０と年表２０を用紙の片面に表示してもよい。
月カレンダー１０と年表２０を用紙の両面に表示した場合、横長の長方形用紙を比較的短くすることができ、経本折りした経本製本カレンダー１の厚みを薄くすることができ、携帯しやすくなる。
月カレンダー１０と年表２０を用紙の片面に表示した場合、横長の長方形用紙は比較的長くなるが、経本製本カレンダー１を折り畳まずに広げて掲示した際、１年分の月カレンダー１０と年表２０を一覧することが可能になる。
【００３３】
月カレンダー１０と年表２０を用紙の両面に表示する場合、一枚の用紙の両面に月カレンダー１０と年表２０を印刷してもよく、また、用紙の片面に月カレンダー１０と年表２０を印刷したものを二枚用意し、その二枚の用紙の非印刷面同士を貼り合わせる向きに二枚の用紙を重ね合わせるようにしてもよい。
【００３４】
また、以上の実施の形態においては、用紙の表側の右端部に厚紙により構成された表表紙１ａを貼設し、用紙の裏側の右端部に厚紙により構成された裏表紙１ｂを貼設した経本製本カレンダー１を例に説明したが、本発明はこれに限定されるものではなく、例えば、用紙の表側の右端部に表表紙が印刷され、用紙の裏側の右端部に裏表紙が印刷されている経本製本カレンダー１であってもよい。
【００３５】
また、以上の実施の形態においては、経本製本カレンダー１に日本史に関する年表２０を表示したが、本発明はこれに限定されるものではなく、例えば世界史に関する年表２０を表示してもよい。
また、社史や校史に関する年表２０や、市区町村の歴史に関する年表２０を表示するようにしてもよい。
【００３６】
経本製本カレンダー１に社史や校史に関する年表２０を表示した場合、例えば「設立記念日」や「創立記念日」にあたる日付に対応する予定記入欄１７に「設立記念日」「創立記念日」との表示を行い、月カレンダー１０に年表２０に関連する事柄を記載するようにしてもよい。なお、月カレンダー１０に記載する年表２０に関連する事柄は「設立記念日」「創立記念日」に限らず、任意の記念日などであってよい。
【００３７】
経本製本カレンダー１に市区町村の歴史に関する年表２０を表示した場合、例えば「市制記念日」にあたる日付に対応する予定記入欄１７に「市制記念日」との表示を行い、月カレンダー１０に年表２０に関連する事柄を記載するようにしてもよい。なお、月カレンダー１０に記載する年表２０に関連する事柄は「市制記念日」に限らず、任意の記念日などであってよい。
また、市区町村の歴史に関する年表２０の挿絵２１として、その市区町村のマスコットキャラクター（所謂、ゆるキャラ（登録商標））の写真やイラストを用いてもよい。
【００３８】
また、月カレンダー１０の日付毎に「六曜」「十二直」「二十八宿」を併記することに加え、「干支」や「九星」を併記するようにしてもよい。こうすることで、日々の吉凶を占う趣向性がより一層高まる。
【００３９】
また、その他、具体的な細部構造等についても適宜に変更可能であることは勿論である。
【符号の説明】
【００４０】
１      経本製本カレンダー
１ａ    表表紙
１ｂ    裏表紙
１０    月カレンダー
１１    月表示欄
１２    日付表示欄
１３    曜日表示欄
１４    六曜表示欄
１５    十二直表示欄
１６    二十八宿表示欄
１７    予定記入欄
１８    月齢表示欄
１９    太陰暦表示欄
２０    年表
２１    挿絵
３０    恵方の方位（歳徳神に関する情報）
４０    占い情報
【図１】
2017042954.tif 000003
【図２】
2017042954.tif 000004
【図３】
2017042954.tif 000005